(57)【要約】【課題】用紙の側端部がマニュアルカッター刃に正しく当接し用紙を綺麗に切断可能なプリンタ装置を提供することである。  【解決手段】巻回された用紙に対して印字を行なう印字部と、用紙を外部に排出する排出口と、所定の印字が行われた用紙を排出口に搬送する搬送ローラと、用紙に当接し、当接部分端部より用紙を手動切断する為のマニュアルカッター刃と、搬送ローラで搬送された用紙を斜行搬送させる用紙傾斜搬送部と、をプリンタ装置に備える。【選択図】図１
2014169170.tif 000002
【特許請求の範囲】
【請求項１】
巻回された用紙に対して印字を行なう印字部と、
前記用紙を外部に排出する排出口と、
所定の印字が行われた前記用紙を前記排出口に搬送する搬送ローラと、
前記用紙に当接し、当接部端部より前記用紙を手動切断する為のマニュアルカッター刃と、
前記搬送ローラで搬送された用紙を斜行搬送させる用紙傾斜搬送部と、
を備えたプリンタ装置。
【請求項２】
前記用紙傾斜搬送部は、前記搬送ローラの回転軸と平行でない回転軸を有す斜行ローラである請求項１記載のプリンタ装置。
【請求項３】
前記用紙傾斜搬送部は、前記搬送ローラの回転軸と平行である回転軸を有し、一端側と他端側とではローラ径が異なるローラである請求項１記載のプリンタ装置。
【請求項４】
前記用紙傾斜搬送部は、異なるローラ径を有する複数のローラが前記搬送ローラの回転軸と平行な回転軸に設けられている請求項１記載のプリンタ装置。
【請求項５】
前記用紙傾斜搬送部は、前記用紙の先端部が前記排出口より突出後に駆動する請求項１乃至請求項４の何れかに記載のプリンタ装置。
【請求項６】
前記用紙傾斜搬送部は、前記搬送ローラと排出口の間に位置し、搬送される前記用紙を用紙幅方向で異なる厚さにて下面からガイドする斜行ガイドである請求項１記載のプリンタ装置。
【請求項７】
前記排出口より突出した用紙における用紙一端側と排出口一端側の距離は、用紙他端側と排出口他端側の距離と異なる請求項１乃至請求項６の何れかに記載のプリンタ装置。
【請求項８】
用紙を外部に排出する排出口と、
所定の印字が行われた前記用紙を、前記排出口に搬送する搬送ローラと、
前記用紙に当接し、当接部分端部より前記用紙を手動切断する為のマニュアルカッター刃と、
前記排出口を前記用紙の幅方向に移動させる排出口移動機構と、
を備えたプリンタ装置。
【発明の詳細な説明】
【技術分野】
【０００１】
本発明の実施態様は、プリンタ装置に関する。
【背景技術】
【０００２】
レシートやチケット等の発行装置として用いられるプリンタ装置では、ロール状に巻回されたロール紙から引き出された長尺状の用紙に所定事項を印刷した後、所定長の長さの紙片に切断して排出を行っている。
【０００３】
用紙の切断にはオートカッターと呼ばれる、固定刃に向けて可動刃をモータにて移動させるものが用いられている。しかしながらカッターの耐久性の問題や価格の問題から、マニュアルカッターの刃のみを設け、切断の際はプリンタ装置の使用者が未切断の用紙を引っ張る事でマニュアルカッター刃に当接している用紙の側端部分から用紙を切断する機構も採用されている。
【０００４】
マニュアルカッター刃のみを設け、切断の際はプリンタ装置の使用者が未切断の用紙を引っ張る機構は、オートカッターに比べ、カッターの耐久性は高くまた安価であるものの、用紙の側端部がマニュアルカッター刃に正しく当接していないと用紙を綺麗に切れない場合がある。
【先行技術文献】
【特許文献】
【０００５】
【特許文献１】特開２００７−１１８０９３号公報
【発明の概要】
【発明が解決しようとする課題】
【０００６】
本発明が解決しようとする課題は、用紙の側端部がマニュアルカッター刃に正しく当接し用紙を綺麗に切断可能なプリンタ装置を提供することである。
【課題を解決するための手段】
【０００７】
上記課題を解決するために、巻回された用紙に対して印字を行なう印字部と、用紙を外部に排出する排出口と、所定の印字が行われた用紙を排出口に搬送する搬送ローラと、用紙に当接し、当接部分端部より用紙を手動切断する為のマニュアルカッター刃と、搬送ローラで搬送された用紙を斜行搬送させる用紙傾斜搬送部と、をプリンタ装置に備えることを特徴とする。
【図面の簡単な説明】
【０００８】
【図１】第１の実施形態に係るプリンタ装置の要部構成図。
【図２】第１の実施形態に係るプリンタ装置の制御回路構成を説明するブロック図。
【図３】第１の実施形態に係るプリンタ装置において、斜行ローラ駆動後の用紙両側端の状態を説明する斜視図。
【図４】第１の実施形態に係るプリンタ装置におけるフィードローラと斜行ローラの配置関係を説明する説明図。
【図５】第２の実施形態に係るプリンタ装置におけるフィードローラと斜行ローラの配置関係を説明する要部構成図。
【図６】第３の実施形態に係るプリンタ装置におけるフィードローラと斜行ローラの配置関係を説明する説明図。
【図７】第４の実施形態に係るプリンタ装置における斜行ガイドの形状を説明する斜視図。
【図８】第４の実施形態に係るプリンタ装置における斜行ガイドの形状を説明する説明図。
【図９】第５の実施形態に係るプリンタ装置における排出口の用紙幅方向への移動を説明する説明図。
【図１０】本実施形態に係る用紙の両側端と排出口の両側の位置関係を説明する説明図。
【発明を実施するための形態】
【０００９】
以下に、本発明の一実施形態に係るプリンタ装置を、図面を参照して詳細に説明する。
【００１０】
（第１の実施形態）
図１はプリンタ装置１０の要部構成を示している。なお、このプリンタ装置では、図の左側から右側に向けて用紙１１が搬送されるので、以下の説明においては、図中左側を上流側、右側を下流側とする。図中符号１１は巻軸１２に巻回されたロール状の用紙であり、巻軸１２はプリンタ装置１０に回転自在に支持されている。用紙１１の下流側には、アイドラローラ１３が回転自在に支持されている。またアイドラローラ１３の下流には、搬送上ガイド１４と搬送下ガイド１５が設けられており、搬送上ガイド１４と搬送下ガイド１５の間が用紙１１を搬送する用紙搬送路１６となっている。
【００１１】
またアイドラローラ１３の下流には、図示しないモータによって回転可能とされた第１フィードローラ１７と、第１フィードローラ１７に対して用紙搬送路１６を挟んでアイドラローラ１８が対向配置されている。
【００１２】
また、第１フィードローラ１７の下流には、図示しないモータによって回転可能とされたプラテンローラ１９と、このプラテンローラ１９に対して用紙搬送路１６を挟んで対向配置されたサーマル印字ヘッド２０とが配置されている。これらプラテンローラ１９、サーマル印字ヘッド２０とで印字部２１を構成している。サーマル印字ヘッド２０は、用紙１１が用紙搬送路１６上を下流側に向け搬送される際、用紙１１の搬送に合わせて１行ずつ印字をするようになっている。また、サーマル印字ヘッド２０は、プラテンローラ１９に押圧され、サーマル印字ヘッド２０とプラテンローラ１９との摩擦によって用紙１１を下流側に送るようになっている。
【００１３】
印字部２１の下流には、図示しないモータによって回転可能とされた第２フィードローラ２３と、第２フィードローラ２３に対して用紙搬送路１６を挟んでアイドラローラ２２が対向配置されている。第２フィードローラ２３とアイドラローラ２２の協働にて、用紙１１をプリンタ装置１０の前面側に設けられている排出口２６よりプリンタ装置１０の外部に出す。
【００１４】
また、第２フィードローラ２３の下流側かつ排出口２６の上流側にはマニュアルカッター刃２４が設けられている。排出口２６よりプリンタ装置１０の外部に出ている用紙１１をプリンタ装置１０を使用するオペレータが掴み引っ張る事で用紙１１がマニュアルカッター刃２４と当接している部分から切断される。
【００１５】
またマニュアルカッター刃２４の下流側かつ排出口２６の上流側には後述する、用紙傾斜搬送部である斜行ローラ２５が設けられている。
【００１６】
またプリンタ装置１０には、用紙１１の用紙切れ、用紙詰まり等のエラー状況や、プリンタ装置１０の各種情報を表示する表示部２７が設けられている。
【００１７】
図２に、上述したプリンタ装置１０の制御部５０を示している。制御部５０は、用紙の搬送、印刷、用紙の排出、プリンタの状況表示の各制御をおこなう手段を有している。
【００１８】
制御部５０は、ホストコンピュータ５１との連係および各種の制御の実行をおこなう、例えば、マイクロコンピュータで構成されている。制御部５０の中央処理装置（ＭＰＵ）５２は、プログラムに従って用紙の搬送制御、印刷制御、用紙の排出制御、プリンタの状況表示制御等をおこなう。ＭＰＵ５２は、時間設定をおこなう手段としてタイマ５３を備えている。
【００１９】
ＭＰＵ５２で実行する制御プログラムや制御または演算途上のデータ等を格納する主記憶手段としてＲＯＭ５４およびＲＡＭ５５が設置されている。ＲＯＭ５４は制御プログラム等を持つ読出し専用メモリであり、ＲＡＭ５５は演算途上のデータ等を格納する随時書込みメモリである。
【００２０】
また、制御部５０には、ホストコンピュータ５１からの各種の入力データの取込みや、ホストコンピュータ５１への制御部５０の制御出力の取出しをおこなう入出力ユニット（Ｉ／Ｏ）５６が設けられている。Ｉ／Ｏ５６は、ＭＰＵ５２、ＲＯＭ５４およびＲＡＭ５５とがバスを通じて連係されている。
【００２１】
また、Ｉ／Ｏ５６には、制御出力を取り出す為の手段として、第１、第２、第３、第４および第５のドライバ５７、５８、５９、６０、６１が接続されている。
【００２２】
ドライバ５７は印字部２１へ必要な駆動出力を供給する。ドライバ５８は第１フィードローラ１７に駆動出力を供給する。ドライバ５９は第２フィードローラ２３への駆動出力を供給する。ドライバ６０は斜行ローラ２５に駆動出力を供給する。ドライバ６１は表示部２７に、各種表示をおこなわせる表示駆動出力を供給する。
【００２３】
印字部２１は、図１に示す様に、サーマル印字ヘッド２０およびプラテンローラ１９を備えている。プラテンローラ１９は、ＭＰＵ５２の指令手段としての制御出力に基づき、図示しないモータにより印字動作と同期して回転駆動される。サーマル印字ヘッド２０は、ホストコンピュータ５１からの印字データに基づき用紙１１に印字をおこなう。
【００２４】
また制御部５０のＭＰＵ５２は、ドライバ５８を介して、第１フィードローラ１７を駆動し、用紙１１を搬送する。
【００２５】
また制御部５０のＭＰＵ５２は、ドライバ５９を介して、第２フィードローラ２３を駆動し、用紙１１を搬送する。
【００２６】
また制御部５０のＭＰＵ５２は、ドライバ６０を介して、斜行ローラ２５を駆動し、用紙１１を斜行搬送する。
【００２７】
また制御部５０のＭＰＵ５２は、ドライバ６１を介して、表示部２７に、プリンタ装置１０の各種情報を表示する。
【００２８】
次に、プリンタ装置１０の動作を説明する。制御部５０はＲＯＭ５４に記憶されているプログラムに則って用紙搬送ならびに印字動作をおこなう。
【００２９】
プリンタ装置１０に用紙１１をセットすると、プリンタ装置１０に設けられている図示しない用紙位置合わせ機構により、用紙１１の先端はプラテンローラ１９とサーマル印字ヘッド２０の間まで搬送され停止する。なお用紙位置合わせ機構であるが、図示しないサーマル印字ヘッド２０の上流側に設けられている図示しない用紙センサが用紙先端を検出すると、その後規定量だけ用紙が下流側に搬送されその位置で停止をしてその後の印字データの送信を待つ。
【００３０】
この状態で図２で示したホストコンピュータ５１からの印字要求が入力されると、制御部５０はその印字要求に応じて印字部２１を動作させ、ホストコンピュータ５１から送られた印字データを用紙１１上に印字する。印字はサーマル印字ヘッド２０とプラテンローラ１９との協働にて行われ、サーマル印字ヘッド２０にて印字された用紙１１はプラテンローラ１９の回転により第２フィードローラ２３とアイドラローラ２２に向け搬送される。その後用紙１１は、第２フィードローラ２３とアイドラローラ２２に挟持され排出口２６に向けて搬送される。その際、用紙１１は、プリンタ装置１０の制御部５０にて決定された用紙１１の切断位置とマニュアルカッター刃２４の刃先のラインとが一致する様に停止する。その際用紙１１の先端部は排出口２６よりプリンタ装置１０の外部に出ている状態となっている。
【００３１】
この状態において、制御部５０はドライバ６０を介して斜行ローラ２５を駆動させる。
【００３２】
図３は第２フィードローラ２３と斜行ローラ２５の位置関係を示した斜視図であり、図４は第２フィードローラ２３と斜行ローラ２５の位置関係を示した平面図である。
【００３３】
図４に示す様に、第２フィードローラ２３の回転軸と斜行ローラ２５の回転軸は平行になっていない。したがって第２フィードローラ２３によって搬送された用紙１１も、その後斜行ローラ２５によって搬送される事で第２フィードローラ２３での搬送に対して斜めに搬送されることとなる。
【００３４】
斜めに搬送されると、図３に示す様に、用紙１１の一方の側辺であるＡ辺はほぼ直線となるが、他方の側辺であるＢ辺は湾曲し用紙１１に弛みが発生する。
【００３５】
この状態にてＸ点において用紙１１はマニュアルカッター刃２４に正確に接触している。これによりプリンタ装置１０のオペレータは用紙１１を引っ張り正確に切断する事が可能となる。
【００３６】
なお本実施形態においては、用紙１１の先端部が排出口２６よりプリンタ装置１０の外部に出ている状態で用紙傾斜搬送部である斜行ローラ２５を駆動させたが、これに限る必要はなく、第２フィードローラ２３とアイドラローラ２２の協働による排出口２６への搬送の過程において斜行ローラ２５を駆動させてもよい。
【００３７】
（第２の実施形態）
図５に第２の実施形態を示す。
【００３８】
第２の実施形態における用紙傾斜搬送部である斜行ローラ２８の回転軸は、第２フィードローラ２３の回転軸と平行になっている。
【００３９】
斜行ローラ２８は、一方側の径φ１と他方側の径φ２とでその径が異なる形状をしている。
【００４０】
この様に径を異ならせる事で、斜行ローラ２８にて搬送された用紙１１は、径の大きいφ２側と径の小さいφ１側とではその搬送量が異なる。前述同様、第２フィードローラ２３によって搬送された用紙１１も、その後斜行ローラ２８によって搬送される事で第２フィードローラ２３での搬送に対して斜めに搬送されることとなる。
【００４１】
用紙１１の一方の側辺はほぼ直線となるが、他方の側辺は湾曲し用紙１１に弛みが発生する。直線側の用紙１１はマニュアルカッター刃２４に正確に接触している為、プリンタ装置１０のオペレータは用紙１１を引っ張り正確に切断する事が可能となる。
【００４２】
また斜行ローラ２８は第２フィードローラ２３の回転軸と平行になっているので、ギヤを介して第２フィードローラ２３と同一の駆動機構での駆動を採用する事が可能となる。
【００４３】
（第３の実施形態）
図６に第３の実施形態を示す。
【００４４】
第３の実施形態における用紙傾斜搬送部である斜行ローラ２９の回転軸は、第２フィードローラ２３の回転軸と平行になっている。
【００４５】
斜行ローラ２９は、同一のシャフトに、直径がφ３である小径ローラ２９１と直径がφ４である大径ローラ２９２を設けたものである。なおここで示すφ３、φ４とは直径３ミリメートル、直径４ミリメートルとの意味ではなく、３および４は記号としての表示である。
【００４６】
小径ローラ２９１の直径φ３と大径ローラ２９２の直径φ４とではφ３＜φ４となっている。この様に径を異ならせる事で、斜行ローラ２９にて搬送された用紙１１は、前述同様、第２フィードローラ２３によって搬送され、その後斜行ローラ２９によって搬送される事で第２フィードローラ２３での搬送に対して斜めに搬送されることとなる。
【００４７】
よって用紙１１の一方の側辺はほぼ直線となるが、他方の側辺は湾曲し用紙１１に弛みが発生する。直線側の用紙１１はマニュアルカッター刃２４に正確に接触している為、プリンタ装置１０のオペレータは用紙１１を引っ張り正確に切断する事が可能となる。
【００４８】
また第２実施形態同様、斜行ローラ２９の回転軸は第２フィードローラ２３の回転軸と平行になっている。従って、ギヤを介して第２フィードローラ２３と同一の駆動機構での駆動を採用する事が可能となる。
【００４９】
（第４の実施形態）
図７および図８に第４の実施形態を示す。
【００５０】
図７は第２フィードローラ２３と用紙傾斜搬送部である斜行ガイド３０の位置関係を示した斜視図であり、図８は排出口２６側から第２フィードローラ２３側を見た平面図である。
【００５１】
第４の実施形態における用紙傾斜搬送部である斜行ガイド３０は、用紙１１の下面に位置し用紙１１をガイドするガイド面の厚さが用紙幅方向で異なる様になっている。
【００５２】
図８に示す様に、第２フィードローラ２３と斜行ガイド３０の下面であるＤは平行となっている。しかしながら斜行ガイド３０における用紙１１が搬送される面は、用紙１１の幅方向で異なり、下面Ｄからそれぞれｔ１およびｔ２となっている。
【００５３】
ｔ１＞ｔ２となっているので、斜行ガイド３０にてガイドされた用紙１１は、前述同様、用紙１１の一方の側辺はほぼ直線となるが、他方の側辺は湾曲し用紙１１に弛みが発生する。直線側の用紙１１はマニュアルカッター刃２４に正確に接触している為、プリンタ装置１０のオペレータは用紙１１を引っ張り正確に切断する事が可能となる。
【００５４】
また斜行ガイド３０は駆動力を必要としないため、安価に製造が可能となると共に機構も簡単になる。
【００５５】
（第５の実施形態）
図９に第５の実施形態を示す。
【００５６】
図９（ａ）は、第２フィードローラ２３にて搬送された用紙１１が真っ直ぐに搬送されている状態を示し、図９（ｂ）は、用紙の排出口２６から用紙１１の先端が出た後に排出口２６が用紙１１の幅方向に移動した状態を示している。
【００５７】
第５の実施形態は用紙の排出口２６に移動機構を持たせており、図９（ａ）に示す様に、印字された用紙１１は、第２フィードローラ２３とアイドラローラ２２に挟持され排出口２６に向けて搬送され、その後用紙１１の先端部は排出口２６よりプリンタ装置１０の外部に出ている状態となる。この状態において、図９（ｂ）に示す様に用紙の排出口２６を、図示しない排出口移動機構によって、Ｙ方向に移動させる。
【００５８】
これにより、用紙１１は、前述同様、用紙１１の一方の側辺はほぼ直線となるが、他方の側辺は湾曲し用紙１１に弛みが発生する。直線側の用紙１１はマニュアルカッター刃２４に正確に接触している為、プリンタ装置１０のオペレータは用紙１１を引っ張り正確に切断する事が可能となる。
【００５９】
次に図１０に用紙１１のそれぞれの側端部と、排出口２６のそれぞれの側端部との距離を示す。図１０（ａ）は用紙１１のそれぞれの側端部と、排出口２６のそれぞれの側端部との距離を同一とし、図１０（ｂ）は用紙１１の側端部と、排出口２６の側端部との距離を幅方向で異なる距離としたものを示す。
【００６０】
第１乃至第４の実施形態にて、第２フィードローラ２３と排出口２６の間に、用紙傾斜搬送部を設けた実施形態を説明した。用紙１１は図３のＸ点より切断するわけであるが、図１０（ａ）に示す様に、傾斜搬送させた後の用紙１１と排出口２６の関係が、左右とも用紙端と排出口端との距離が同じ（Ｌ１＝Ｒ１）であると（Ｌ１＝Ｒ１）、オペレータはどちらから切れば良いかがわかりづらい場合がある。
【００６１】
この為図１０（ｂ）に示す様に、傾斜搬送させた後の用紙１１と排出口２６の関係が、用紙１１の側辺がほぼ直線となり切り始める側の用紙端と排出口端の距離Ｌ２が、切り終わり側の用紙端と排出口端の距離Ｒ２より小さくなる様排出口２６を設けた。
【００６２】
これにより、オペレータはどちらから切断を開始すれば良いかが視覚的にもわかりやすい。
【００６３】
本発明のいくつかの実施形態を説明したが、これらの実施形態は例として提示したものであり、発明の範囲を限定することは意図していない。これら新規な実施形態は、その他のさまざまな形態で実施されることが可能であり、発明の要旨を逸脱しない範囲で、種々の省略、置き換え、変更を行うことができる。これらの実施形態やその変形は、発明の範囲や要旨に含まれると共に、特許請求の範囲に記載された発明とその均等の範囲に含まれる。
【符号の説明】
【００６４】
１０：プリンタ装置
１１：用紙
１７：第１フィードローラ
２１：印字部 
２３：第２フィードローラ
２４：マニュアルカッター刃
２５：斜行ローラ
２６：排出口
【図１】
2014169170.tif 000003
【図２】
2014169170.tif 000004
【図３】
2014169170.tif 000005
【図４】
2014169170.tif 000006
【図５】
2014169170.tif 000007
【図６】
2014169170.tif 000008
【図７】
2014169170.tif 000009
【図８】
2014169170.tif 000010
【図９】
2014169170.tif 000011
【図１０】
2014169170.tif 000012